(57)【特許請求の範囲】
【請求項１】
読取対象物に光を照射する第１及び第２の光照射部と、
前記第１又は前記第２の光照射部から照射された光の反射光を読取ってそれぞれ第１又は第２の画像データを生成する画像データ生成部と、
を有する読取ユニットと、
前記読取対象物及び前記読取ユニットのいずれか一方を第１の走査方向及び前記第１の走査方向とは逆の第２の走査方向に走査する走査部と、
を備えた画像読取装置であって、
前記第１及び前記第２の光照射部による光照射動作を制御する光照射動作制御部と、
前記第１及び前記第２の画像データの前記第１の走査方向に沿った各出力値を比較し、前記出力値が大きい方の画像データを採用して前記第１の画像データと前記第２の画像データとを合成する画像データ合成部と、
を備え、
前記第１の光照射部は、前記読取対象物の前記第１の走査方向の下流側の端部側に影が生じる方向から前記読取対象物に前記光を照射するものであり、
前記第２の光照射部は、前記読取対象物の前記第２の走査方向の下流側の端部側に影が生じる方向から前記読取対象物に前記光を照射するものであり、
前記光照射動作制御部は、前記走査部が前記第１の走査方向に走査していることを条件に前記第１及び前記第２の光照射部のいずれか一方を点灯していずれか他方を光量を落として点灯し、前記走査部が前記第２の走査方向に走査していることを条件に前記第１及び前記第２の光照射部の前記いずれか一方を光量を落として点灯して前記いずれか他方を点灯する制御を行うものである、
ことを特徴とする画像読取装置。
【請求項２】
前記光照射動作制御部は、前記走査部が前記第１の走査方向に走査していることを条件に前記第１及び前記第２の光照射部の両方を点灯する制御を行うことが可能なものであり、
前記画像データ生成部は、前記第１及び前記第２の光照射部の両方から照射された光の反射光を読取って画像データを生成するものである、
ことを特徴とする請求項１に記載の画像読取装置。
【請求項３】
前記読取対象物の厚さを検知する読取対象物厚検知部をさらに備え、
前記光照射動作制御部は、前記読取対象物厚検知部が予め定められた閾値以上の厚さを検知したことを条件に、請求項１に記載の制御を行うものである、
ことを特徴とする請求項２に記載の画像読取装置。
【請求項４】
原稿が載置される第１の透明部材を有する第１の原稿載置部と、
原稿載置部に載置された原稿を、第２の透明部材を有する第２の原稿載置部を通して排紙部に直線状に搬送する直線搬送路と、
前記第１の原稿載置部に載置された原稿の画像を走査して読み取るとともに、前記第２の透明部材に搬送された原稿の画像を読み取る光学走査ユニットと、
を備えた画像読取装置であって、
前記光学走査ユニットは、
筐体と、
前記筐体に設けられ、前記第１又は前記第２の原稿載置部に載置された原稿の予め定められた照射領域に光を照射する照射装置と、
前記筐体に設けられ、前記照射領域から反射された反射光を受光して原稿の画像を読み取る撮像素子と、
前記照射領域から反射された反射光を反射して前記撮像素子に入射させる少なくとも１つの反射部材と、
を備え、
前記第１の原稿載置部に載置された原稿の画像を走査して読み取る読取時と、前記第２の透明部材に搬送された原稿の画像を読み取る読取時とで、前記少なくとも１つの反射部材の前記筐体に対する角度を変更するとともに、前記照射装置の前記筐体に対する角度を変更する、
ことを特徴とする画像読取装置。
【請求項５】
前記少なくとも１つの反射部材のうち前記照射領域から反射された光を最初に反射する反射部材は、前記照射領域から反射された光を反射する反射角度を変更可能なものである、
ことを特徴とする請求項４に記載の画像読取装置。
【請求項６】
請求項１から請求項５までのいずれか１項に記載の画像読取装置を備えたことを特徴とする自動原稿搬送装置。
【請求項７】
請求項１から請求項５までのいずれか１項に記載の画像読取装置を備えたことを特徴とする画像形成装置。
【請求項８】
請求項１から請求項５までのいずれか１項に記載の画像読取装置を備えたことを特徴とするファクシミリ装置。
【発明の詳細な説明】
【技術分野】
【０００１】
本発明は、画像読取装置、自動原稿搬送装置、画像形成装置及びファクシミリ装置に関する。
【背景技術】
【０００２】
一般的なマルチファンクションプリンタでは、プリンタの上に画像読取装置が設置され、さらにその上に自動原稿搬送装置が備え付けられている。
【０００３】
自動原稿搬送装置での画像読取方式には、シートスルー方式とブックスキャン方式とがあることが既に知られている。
【０００４】
シートスルー方式は、原稿テーブルにセットされた原稿を搬送しながら、固定された画像読取手段により画像を読取る画像読取方式である。一方、ブックスキャン方式は、画像読取装置に開閉機構を有するヒンジを介して設置された自動原稿搬送装置を開いて画像読取装置のコンタクトガラスの上に原稿をセットし、画像読取装置内の読取手段が移動することで画像を読取る画像読取方式である。
【０００５】
従来の画像読取装置としては、特許文献１〜５に記載の画像読取装置が知られている。
【０００６】
特許文献１には、原稿搬送方向における上流側の発光素子群と下流側の発光素子群とを有する光源を備え、２つの発光素子群が片方ずつ交互に照射を行うことにより原稿後端位置を検出し、検出された原稿後端位置に基づいて原稿サイズを検出する画像読取装置について記載されている。
【０００７】
しかしながら、特許文献１に記載のものでは、カタログ等の紙厚が大きい原稿やプラスチックカード（以下、「カード等」という）の硬い原稿を湾曲搬送路上で搬送する場合には、原稿の屈曲やジャムの発生のおそれがあるという課題があった。
【０００８】
これに対し、特許文献２には、紙等の屈折可能な原稿を戴置する原稿戴置面を走査する走査読取部とは別に、分岐したストレート搬送部を設け、ストレート搬送部に設けられた透明部材からなる読取部を光学走査ユニットに密着させ、走査読取部の原稿戴置面に対して、透明部材を走査方向で斜めに設置した構成を有する画像読取装置について記載されている。
【０００９】
この構成において、光学走査ユニットに設けられた照明装置は、走査読取部の水平な原稿戴置面に対して最適な分布となるように、照射領域及び照度分布が設定されているが、原稿搬送読取部の透明部材が原稿戴置面に対し走査方向で斜めに設置されているため、原稿搬送読取部では、照射領域及び照度分布が狙いの位置に設定できないので、光学走査ユニットを原稿搬送読取時に傾ける構成となっている。
【００１０】
特許文献３には、光学走査ユニットの筐体全体を傾けて読み取る手段を備え、光学走査ユニットに設けられた照明装置からラインセンサへの入射角度の変化による画質劣化を改善する画像読取装置について記載されている。
【００１１】
特許文献４には、照射領域以外の範囲を照射しないよう対向照射板や遮光部材を工夫した画像読取装置について記載されている。
【００１２】
特許文献５には、イメージセンサにより原稿を読み取る原稿読取方法において、イメージセンサを挟む２方向から原稿に光を照射して読取りを行う２光源照射モードと、２方向のうちいずれか１方向のみから原稿に光を照射して読取りを行う１光源照射モードとを切り替え可能にした原稿読取装置について記載されている。
【発明の概要】
【発明が解決しようとする課題】
【００１３】
しかしながら、特許文献１〜５に記載のものでは、カード等に照射する光源の光によりカード等の影（以下、「原稿影」という）が発生するので、良好な読取画像が得られないという課題があった。
【００１４】
また、特許文献２に記載のものは、光学走査ユニットが軽量な密着型等倍読取センサ（ＣＩＳ）を用いたものでは問題無いが、高画質を求められる読取装置で採用されるＣＣＤを用いた縮小光学系を採用した光学走査ユニットでは、原稿からの反射光を折りたたむための複数の反射部材を有しているため、重量が重く、光学走査ユニットを傾けるのが困難であり、且つ、大がかりな機構が必要であった。そのため、この種の画像読取装置等において、簡易な構成で照射領域及び照度分布が正確に設定でき、良好な読取画像が得られるものが望まれていた。
【００１５】
本発明は、前述のような事情に鑑みてなされたものであり、良好な読取画像を得ることができる画像読取装置、自動原稿搬送装置、画像形成装置及びファクシミリ装置を提供することを目的とする。
【課題を解決するための手段】
【００１６】
本発明に係る画像読取装置は、読取対象物に光を照射する第１及び第２の光照射部と、前記第１又は前記第２の光照射部から照射された光の反射光を読取ってそれぞれ第１又は第２の画像データを生成する画像データ生成部と、を有する読取ユニットと、前記読取対象物及び前記読取ユニットのいずれか一方を第１の走査方向及び前記第１の走査方向とは逆の第２の走査方向に走査する走査部と、を備えた画像読取装置であって、前記第１及び前記第２の光照射部による光照射動作を制御する光照射動作制御部と、前記第１及び前記第２の画像データの前記第１の走査方向に沿った各出力値を比較し、前記出力値が大きい方の画像データを採用して前記第１の画像データと前記第２の画像データとを合成する画像データ合成部と、を備え、前記第１の光照射部は、前記読取対象物の前記第１の走査方向の下流側の端部側に影が生じる方向から前記読取対象物に前記光を照射するものであり、前記第２の光照射部は、前記読取対象物の前記第２の走査方向の下流側の端部側に影が生じる方向から前記読取対象物に前記光を照射するものであり、前記光照射動作制御部は、前記走査部が前記第１の走査方向に走査していることを条件に前記第１及び前記第２の光照射部のいずれか一方を点灯していずれか他方を光量を落として点灯し、前記走査部が前記第２の走査方向に走査していることを条件に前記第１及び前記第２の光照射部の前記いずれか一方を光量を落として点灯して前記いずれか他方を点灯する制御を行うものである、構成を有する。
【００１７】
また、本発明に係る画像読取装置は、原稿が載置される第１の透明部材を有する第１の原稿載置部と、原稿載置部に載置された原稿を、第２の透明部材を有する第２の原稿載置部を通して排紙部に直線状に搬送する直線搬送路と、前記第１の原稿載置部に載置された原稿の画像を走査して読み取るとともに、前記第２の透明部材に搬送された原稿の画像を読み取る光学走査ユニットと、を備えた画像読取装置であって、前記光学走査ユニットは、筐体と、前記筐体に設けられ、前記第１又は前記第２の原稿載置部に載置された原稿の予め定められた照射領域に光を照射する照射装置と、前記筐体に設けられ、前記照射領域から反射された反射光を受光して原稿の画像を読み取る撮像素子と、前記照射領域から反射された反射光を反射して前記撮像素子に入射させる少なくとも１つの反射部材と、を備え、前記第１の原稿載置部に載置された原稿の画像を走査して読み取る読取時と、前記第２の透明部材に搬送された原稿の画像を読み取る読取時とで、前記少なくとも１つの反射部材の前記筐体に対する角度を変更するとともに、前記照射装置の前記筐体に対する角度を変更する、構成を有する。
【発明の効果】
【００１８】
本発明によれば、簡易な構成で良好な読取画像を得ることができる。
【図面の簡単な説明】
【００１９】
【図１】本発明の第１実施形態に係る画像形成装置の外観斜視図である。
【図２】本発明の第１実施形態に係る画像読取装置の外観斜視図である。
【図３】本発明の第１実施形態に係る画像読取装置のカバー解放状態を示す図である。
【図４】本発明の第１実施形態に係る画像形成装置の詳細な構成図である。
【図５】本発明の第１実施形態に係る画像形成装置の読み取り対象の一例であるプラスチックカードの説明図である。
【図６】片側照明ＣＩＳにおける原稿影の発生原因についての説明図である。
【図７】片側照明ＣＩＳにおける原稿影の発生原因についての説明図である。
【図８】両側照明ＣＩＳにおける原稿影の発生原因について説明図である。
【図９】両側照明ＣＩＳにおける原稿影の発生原因について説明図である。
【図１０】両側照明ＣＩＳにおける原稿影の発生原因について説明図である。
【図１１】両側照明ＣＩＳにおける原稿影の発生原因について説明図である。
【図１２】両側照明ＣＩＳにおける原稿影の発生原因について説明図である。
【図１３】両側照明ＣＩＳにおける原稿影の発生原因について説明図である。
【図１４】プラスチックカードの表面側において、副走査方向の１ラインの画像出力値をグラフ化した図である。
【図１５】プラスチックカードの表面側において、原稿影消し処理後の、原稿影のない画像データを示す図である。
【図１６】プラスチックカードの裏面側において、副走査方向の１ラインの画像出力値をグラフ化した図である。
【図１７】プラスチックカードの裏面側において、原稿影消し処理後の、原稿影のない画像データを示す図である。
【図１８】本発明の第１実施形態に係る画像形成装置の主要部の機能ブロック図である。
【図１９】本発明の第１実施形態に係る画像形成装置の対象物厚検知部の形成例を示す図である。
【図２０】本発明の第１実施形態に係る画像形成装置の主要部のハードウェア構成図である。
【図２１】本発明の第１実施形態に係る画像形成装置において、制御装置が実行する画像取得処理を示すフローチャートである。
【図２２】本発明の第１実施形態に係る画像形成装置において、制御装置が実行する画像取得処理を示すフローチャートである。
【図２３】本発明の第２実施形態に係る画像形成装置の構成図である。
【図２４】本発明の第２実施形態に係る画像形成装置の動作の説明図である。
【図２５】本発明の第２実施形態に係る画像形成装置の動作の説明図である。
【図２６】本発明の第２実施形態に係る画像形成装置の動作の説明図である。
【図２７】本発明の第２実施形態に係る画像形成装置の動作の説明図である。
【図２８】本発明の第２実施形態に係る画像形成装置の動作の説明図である。
【図２９】本発明の第２実施形態に係る画像形成装置の他の態様の説明図である。
【図３０】本発明の第３実施形態に係る画像形成装置の構成図である。
【図３１】本発明の第３実施形態に係る画像読取装置の構成図である。
【図３２】本発明の第３実施形態に係る画像読取装置の光学走査ユニットの断面である。
【図３３】本発明の第３実施形態に係る画像読取装置のＬＥＤ基板を示す図である。
【図３４】本発明の第３実施形態に係る画像読取装置の光学走査ユニットが、フラットベッドコンタクトガラスに戴置された原稿を読み取る状態を示す図である。
【図３５】本発明の第３実施形態に係る画像読取装置の光学走査ユニットにおいてＬＥＤユニットが取り付けられる支持部材の斜視図である。
【図３６】本発明の第３実施形態に係る画像読取装置の光学走査ユニットが、ＤＦコンタクトガラスに戴置された原稿を読み取る状態を示す図である。
【図３７】本発明の第３実施形態に係る画像読取装置の光学走査ユニットにおいて、集光状態を示す図である。
【発明を実施するための形態】
【００２０】
以下、本発明の実施形態について図面を用いて説明する。
【００２１】
（第１実施形態）
図１〜図２２は、本発明に係る画像形成装置の第１実施形態を示す図である。本実施の形態の画像形成装置は、例えば、電子写真方式の画像形成が可能なデジタルコピー機、プリンタ、ファクシミリ及びスキャナの機能を併有するデジタル複合機として適用することができる。
【００２２】
図１に示すように、本実施形態における画像形成装置１００は、画像形成装置本体１０１と、画像読取装置１０２と、自動原稿搬送装置（以下、「ＡＤＦ」という）１０３と、を含んで構成されている。
【００２３】
画像形成装置本体１０１は、その上方側に配置された画像読取装置１０２により原稿の画像が読取られるとき、その画像データを基に公知の電子写真方式の画像形成処理を実行し、読取った画像を所定の記録媒体である記録用紙に記録したり、画像ファイルを転送出力したりすることができる。
【００２４】
画像形成装置本体１０１は、図示しない内蔵されたコントローラによって画像読取装置１０２及びＡＤＦ１０３の作動を制御する。例えば、画像形成装置本体１０１は、画像読取装置１０２により読取られた原稿の画像に基づいて図示しない感光体ドラム上に静電潜像を形成し、この静電潜像をトナーにより現像して、所定の記録用紙にこのトナー像を転写及び定着させて画像を記録できるようになっている。
【００２５】
画像読取装置１０２は、画像読取装置１０２の主要部であるフラットベッドスキャナの機能を有するとともに、ＡＤＦ１０３と協働してＤＦスキャナの機能をも発揮するようになっている。
【００２６】
画像読取装置１０２は、その上面側のフラットベッドコンタクトガラス２０３（図２参照）上に載置される原稿（例えば１枚の原稿や厚紙、シート原稿の結束物である原稿束、カード等の硬い原稿等）の読取画像面に光を照射して、その原稿の画像面からの反射光を画像信号に変換することにより原稿の画像を読取ることができる。なお、フラットベッドコンタクトガラス２０３を単にコンタクトガラス２０３という。
【００２７】
すなわち、ＡＤＦ１０３は、原稿を原稿搬送路に沿って搬送する原稿搬送機能を有しており、その搬送原稿の画像をＡＤＦコンタクトガラス２０４（図２参照）上で読取り可能に搬送することで、画像読取装置１０２にＤＦスキャナの機能を発揮させることができるようになっている。
【００２８】
このＡＤＦ１０３は、画像読取装置１０２の上面側の後部（背面側の部分）に図示しないヒンジ等の開閉機構を介して取付けられており、画像読取装置１０２に対してコンタクトガラス２０３上に原稿セット空間を形成する開放位置と、コンタクトガラス２０３上に原稿を押付け可能な閉止位置との間で移動自在となっている。
【００２９】
そして、画像形成装置１００は、ＡＤＦ１０３により原稿を自動搬送しつつその原稿の読取対象面の画像を読取るＤＦスキャナモード（搬送原稿読取りモード）と、画像読取装置１０２上の所定位置に載せ置かれた原稿の画像を下方側から読取るフラットベッドスキャナモード（載置原稿読取りモード）とに切換え可能になっている。
【００３０】
図２に示すように、画像読取装置１０２は、スキャナカバー部２０１とスキャナフレーム部２０２とで構成されている。スキャナカバー部２０１は、原稿を載置するコンタクトガラス２０３と、ＡＤＦコンタクトガラス２０４と、を備える。
【００３１】
スキャナフレーム部２０２は、図３に示すように、その上方が開口した箱型形状で構成されており、スキャナカバー部２０１は、スキャナフレーム部２０２の開口部を覆うようにして、スキャナフレーム部２０２に着脱可能に図示しないネジ等で固定されている。スキャナカバー部２０１には、コンタクトガラス２０３及びＡＤＦコンタクトガラス２０４が取付けられている。
【００３２】
図３は画像読取装置１０２内部を示した図であり、画像読取装置１０２内には、副走査方向に移動可能な読取ユニット３０１及びその読取ユニット３０１の移動に使用するガイドロッド３０２、スライドレール３０３等が設けられている。なお、以下の説明では、読取ユニット３０１が密着イメージセンサ（ＣＩＳ）で構成された例を挙げる。
【００３３】
図４は、画像読取装置１０２の詳細な構成を示す図である。図４（ａ）及び（ｂ）に示すように、画像読取装置１０２は、走査部として、モータ５０１、タイミングベルト５０２、モーターギア５０３、駆動ギア５０４、プーリ５０５、タイミングベルト５０６及びプーリ５０７を備えている。また、画像読取装置１０２は、原稿５１０側が白色の原稿押さえシート５１１を備えている。
【００３４】
タイミングベルト５０６は、固定部材によって読取ユニット３０１に固定されている。読取ユニット３０１は、両側照明ＣＩＳ６００を備えている。両側照明ＣＩＳ６００は、原稿５１０を照射する第１の光源６０１及び第２の光源６０２と、原稿５１０からの反射光を集光するセルフォック（登録商標）レンズ６０３と、セルフォックレンズ６０３からの光を受光するイメージセンサ６０４と、を備えている。なお、第１の光源６０１及び第２の光源６０２は、それぞれ、本実施形態における第１及び第２の光照射部を構成する。
【００３５】
タイミングベルト５０６は、プーリ５０５及びプーリ５０７に接合している。モータ５０１の回動により、タイミングベルト５０２、モーターギア５０３及び駆動ギア５０４を介して、プーリ５０５が回動することによって、読取ユニット３０１が、副走査方向（図４中、左右方向）に移動する。
【００３６】
図４（ｂ）に示すように、コンタクトガラス２０３上に原稿５１０を載せ、ＡＤＦ１０３（図１参照）を閉じる。ＡＤＦ１０３内にある原稿押さえシート５１１で、原稿をコンタクトガラス２０３に密着させる。また、読取ユニット３０１は、副走査方向に移動し、原稿の画像データを生成する。
【００３７】
図５は、プラスチックカード、例えばクレジットカード、銀行キャッシュカード等について説明する図である。
【００３８】
一般的なクレジットカード、銀行キャッシュカード等は、カード厚みが０．７６ｍｍであり、通常の原稿よりも厚い。また、角部は半径が約３ｍｍの形状で形成されている。
【００３９】
カードに印字されている文字やイラスト等は、印刷されている箇所（高さは０ｍｍ）と、エンボス加工された箇所があり、エンボス部の高さが約０．４ｍｍの凸状になっている。図５（ａ）に示すように、プラスチックカード４００の表面４０１側は、Ｆの文字がエンボス加工により形成されて凸状になっている。また、図５（ｂ）に示すように、プラスチックカード４００の裏面４０２側は、Ｆの文字が凹状に凹んでいる。
【００４０】
次に、図６〜図７を参照し、従来用いられていた安価な片側照明ＣＩＳにおける原稿影の発生原因について説明する。なお、図４（ｂ）に示した両側照明ＣＩＳ６００と同様の構成には同一の符号を付してその説明を省略する。特に、以下説明する片側照明ＣＩＳ６５０には光源が１つしかないが、説明をわかりやすくするため便宜上「第２の光源６０２」と呼ぶ。
【００４１】
図６に示すように、従来の片側照明ＣＩＳ６５０は、原稿５１０を片側から照射する第２の光源６０２と、原稿５１０からの反射光を集光するセルフォックレンズ６０３と、セルフォックレンズ６０３からの光を受光するイメージセンサ６０４と、を備えている。
【００４２】
片側照明ＣＩＳ６５０では、図６に示すように、プラスチックカード４００の一端側では原稿影が発生するが、プラスチックカード４００の多端側では原稿影は発生しない。
【００４３】
具体的には、プラスチックカード４００の表面４０１側を走査すると、図７（ａ）に示すように、プラスチックカード４００の厚さは通常の原稿より厚く、エンボス文字部はカード面よりも凸状であるため、第２の光源６０２からの光が届かない部分、すなわち、端部４０３側（図中左側）及びＦの文字の左側には原稿影ができてしまい、図示のような画像データとなる。なお、端部４０３は、本実施形態における第１の走査方向の下流側の端部に対応する。
【００４４】
一方、プラスチックカード４００の裏面４０２側を走査すると、図７（ｂ）に示すように、文字部は凹状であるため、第２の光源６０２からの光が届かない部分である端部４０４側（図中左側）及びＦの文字の右側では原稿影ができてしまい、図示のような画像データとなる。なお、端部４０４は、本実施形態における第２の走査方向の下流側の端部に対応する。
【００４５】
次に、図８〜図１３を参照し、両側照明ＣＩＳ６００における原稿影の発生原因について説明する。
【００４６】
原稿影の濃度を低減させる方法として、図８に示すような両側照明ＣＩＳ６００が考えられる。なお、両側照明ＣＩＳ６００の構成については、図４を用いて説明したので省略する。
【００４７】
図８に示すように、両側照明ＣＩＳ６００が副走査方向に動き、画像を読み取るが、図中カード端部やエンボス文字では、右からの光量と左からの光量との差分を少なくできるので、片側照明ＣＩＳ６５０に比べると原稿影の濃度を低減でき、目立ちづらくすることが可能である。しかしながら、光量の差分がある限り、原稿影の発生をなくすことができない。両側照明ＣＩＳ６００では、片側照明ＣＩＳ６５０に比べると、プラスチックカード４００の左右の両方に原稿影ができるのが特徴である。
【００４８】
両側照明ＣＩＳ６００により、プラスチックカード４００の表面４０１側を走査すると図９（ａ）に示すような画像データとなり、プラスチックカード４００の裏面４０２側を走査すると図９（ｂ）に示すような画像データとなる。なお、図９（ａ）及び（ｂ）に示した原稿影の濃度は、図７（ａ）及び（ｂ）に示した片側照明ＣＩＳ６５０による原稿影の濃度よりも低い（薄い）。
【００４９】
図１０は、プラスチックカード４００の表面４０１側（エンボス文字「Ｆ」が凸状になっている）をコンタクトガラス２０３上に乗せ、プラスチックカード４００の表面４０１側をスキャンしている状態を示している。両側照明ＣＩＳ６００は、副走査方向のフォワード方向（図中右側）に移動している。フォワード方向の下流側にある第２の光源６０２を照射し、第１の光源６０１は、消灯又は光量の出力を落として画像を取得する。その結果、読み取った画像には図１１に示すような原稿影が発生する。
【００５０】
図１２は、両側照明ＣＩＳ６００が副走査方向のリターン方向（図中左側）に移動している状態を示す図である。リターン方向の下流側にある第１の光源６０１を照射し、もう片方（図中右側）の第２の光源６０２は、消灯又は光量の出力を落として画像を取得する。読み取った画像には、図１３に示すような原稿影が発生する。
【００５１】
図１１及び図１３にそれぞれ示した画像を比較すると、同じプラスチックカード４００の画像を読んでいるので、原稿影の箇所以外は同一である。また、原稿影の向きは、フォワード時とリターン時とで逆向きになっている。
【００５２】
次に、図１４、図１５を参照し、プラスチックカード４００の表面４０１側に発生する原稿影を消す（以下、「原稿影消し」という）処理の手順について説明する。なお、以下の説明において、例えば、表面側をフォワード方向にスキャンすることを「表面側ＳＣＡＮ（フォワード）」と記す。
【００５３】
図１４は、プラスチックカード４００の表面４０１側において、わかりやすいように、副走査方向の１ライン４１０の画像出力値をグラフ化した図である。図示のように、原稿影部分は、出力値が低く、表面側ＳＣＡＮ（フォワード）と表面側ＳＣＡＮ（リターン）とでは画像データ上での位置が異なっている。図１５は、プラスチックカード４００の表面４０１側において、原稿影消し処理後の、原稿影のない画像データを示している。
【００５４】
プラスチックカード４００の表面４０１側における原稿影消し処理は、以下に示す手順で実施することができる。
（１）図１０に示した動作による表面側ＳＣＡＮ（フォワード）の画像データと、図１２に示した動作による表面側ＳＣＡＮ（リターン）の画像データとを画像メモリ内に保管する。そして、例えば、表面側ＳＣＡＮ（フォワード）の画像データをベースとして、以下に示すように、両者を合成することにより１枚の画像データを作成する。
（２）表面側ＳＣＡＮ（リターン）に対して、表面側ＳＣＡＮ（フォワード）の出力値が低い箇所は、原稿影が発生しているので、表面側ＳＣＡＮ（フォワード）の出力値を表面側ＳＣＡＮ（リターン）の出力値に置き換える。
（３）表面側ＳＣＡＮ（リターン）に対して、表面側ＳＣＡＮ（フォワード）の出力値が高い箇所は、原稿影が発生していないので、表面側ＳＣＡＮ（フォワード）の出力値のままとする。
（４）表面側ＳＣＡＮ（リターン）に対して、表面側ＳＣＡＮ（フォワード）の出力値が同じ箇所は、原稿影が発生していないので、表面側ＳＣＡＮ（フォワード）データのままとする。
【００５５】
以上の結果、プラスチックカード４００の表面４０１側の１枚の画像データは、図１５に示すようになり、原稿影のない画像データを作成できる。
【００５６】
図１６、図１７を参照し、プラスチックカード４００の裏面４０２側に発生する原稿影消し処理の手順にについて説明する。
【００５７】
図１６は、プラスチックカード４００の裏面４０２側において、わかりやすいように、副走査方向の１ライン４１１の画像出力値をグラフ化した図である。図示のように、原稿影部分は、出力値が低く、裏面側ＳＣＡＮ（フォワード）と裏面側ＳＣＡＮ（リターン）とでは画像データ上での位置が異なっている。図１７は、プラスチックカード４００の裏面４０２側において、原稿影消し処理後の、原稿影のない画像データを示している。
【００５８】
プラスチックカード４００の裏面４０２側における原稿影消し処理は、以下に示す手順で実施することができる。
（１）図１０に示した動作による裏面側ＳＣＡＮ（フォワード）の画像データと、図１２に示した動作による裏面側ＳＣＡＮ（リターン）の画像データとを画像メモリ内に保管する。そして、例えば、裏面側ＳＣＡＮ（フォワード）の画像データをベースとして、以下に示すように、両者を合成することにより１枚の画像データを作成する。
（２）裏面側ＳＣＡＮ（リターン）に対して、裏面側ＳＣＡＮ（フォワード）の出力値が低い箇所は、原稿影が発生しているので、裏面側ＳＣＡＮ（フォワード）の出力値を裏面側ＳＣＡＮ（リターン）の出力値に置き換える。
（３）裏面側ＳＣＡＮ（リターン）に対して、裏面側ＳＣＡＮ（フォワード）の出力値が高い箇所は、原稿影が発生していないので、裏面側ＳＣＡＮ（フォワード）の出力値のままとする。
（４）裏面側ＳＣＡＮ（リターン）に対して、表面側ＳＣＡＮ（フォワード）の出力値が同じ箇所は、原稿影が発生していないので、裏面側ＳＣＡＮ（フォワード）データのままとする。
【００５９】
以上の結果、プラスチックカード４００の裏面４０２側の１枚の画像データは、図１７に示すようになり、原稿影のない画像データを作成できる。
【００６０】
次に、本実施形態における画像形成装置１００の主要部の機能の概要について、図１８に例示する機能ブロック図を用いて説明する。
【００６１】
図１８に示すように、画像形成装置１００は、両側照明ＣＩＳ６００、対象物厚検知部１０４、操作パネル１０５、制御装置１１０を備えている。
【００６２】
両側照明ＣＩＳ６００は、読取対象物であるプラスチックカード４００の画像を読み取るものであって、副走査方向のフォワード方向及びリターン方向に移動することにより、コンタクトガラス２０３（図２参照）上に載置されたプラスチックカード４００の画像を読み取るようになっている。
【００６３】
プラスチックカード４００は、コンタクトガラス２０３上に置かれた表面４０１及びその裏面４０２と、フォワード方向の下流側の端部４０３と、リターン方向の下流側の端部４０４と、を有する。
【００６４】
両側照明ＣＩＳ６００は、第１の光源６０１、第２の光源６０２、イメージセンサ６０４と、を有する。なお、本実施形態では、両側照明ＣＩＳ６００がフォワード方向及びリターン方向に移動し、プラスチックカード４００は移動しないものとするが、これに代えて、両側照明ＣＩＳ６００は移動せず、プラスチックカード４００がフォワード方向及びリターン方向に移動する構成としてもよい。
【００６５】
第１の光源６０１は、プラスチックカード４００のフォワード方向の下流側の端部４０３側に影が生じる方向から、プラスチックカード４００の表面４０１に光を照射するようになっている（図８参照）。
【００６６】
第２の光源６０２は、プラスチックカード４００のリターン方向の下流側の端部４０４側に影が生じる方向から、プラスチックカード４００の表面４０１に光を照射するようになっている（図８参照）。
【００６７】
イメージセンサ６０４は、第１の光源６０１及び第２の光源６０２の両方から照射された光の反射光を読み取って画像データを生成し、後述する画像データ取得部１１２に出力するようになっている。また、イメージセンサ６０４は、第１の光源６０１又は第２の光源６０２のいずれか一方から照射された光の反射光を読み取ってそれぞれ第１又は第２の画像データを生成し、後述する画像データ取得部１１２に出力するようになっている。
【００６８】
対象物厚検知部１０４は、例えばＡＤＦ１０３内に備えられたレーザ変位計で構成され、ＡＤＦ１０３内にある原稿押さえシート５１１との距離に基づいて読取対象物の厚さを検知するようになっている。例えば、対象物厚検知部１０４は、図１９（ａ）に示すように、ＡＤＦ１０３の本体部１０３ａに設けられている。本体部１０３ａは、スポンジ１０３ｂを介して、原稿押さえシート５１１と接続されている。対象物厚検知部１０４は、図１９（ｂ）に示すように、コンタクトガラス２０３と原稿押さえシート５１１との間にプラスチックカード４００のような読取対象物が配置されると原稿押さえシート５１１との距離が変化するので、読取対象物の厚さを検知することができるようになっている。なお、対象物厚検知部１０４は、本実施形態における読取対象物厚検知部を構成する。
【００６９】
操作パネル１０５は、ユーザが操作する操作ボタン、各種情報を表示するディスプレイを備えている。例えば、操作ボタンの一例として、操作パネル１０５は、原稿影が発生する通常スキャンモードと、原稿影が発生しない影なしスキャンモードとのいずれか一方をユーザに選択させるためのスキャンモード選択ボタンや、原稿の走査を開始するスキャン開始ボタン等を備えている。
【００７０】
制御装置１１０は、第１の光源６０１及び第２の光源６０２による光照射動作を制御する光源制御部１１１と、イメージセンサ６０４から画像データを取得する画像データ取得部１１２と、を有する。
【００７１】
光源制御部１１１は、通常スキャンモードと影なしスキャンモードとにおいて異なる制御を行うようになっている。この光源制御部１１１は、本実施形態における光照射動作制御部を構成する。
【００７２】
まず、通常スキャンモードにおいて、光源制御部１１１は、両側照明ＣＩＳ６００がフォワード方向に走査している場合には、第１の光源６０１及び第２の光源６０２の両方を点灯する制御を行うようになっている。なお、光源制御部１１１が、両側照明ＣＩＳ６００がリターン方向に走査している場合において第１の光源６０１及び第２の光源６０２の両方を点灯する制御を行う構成としてもよい。
【００７３】
次に、影なしスキャンモードにおいて、光源制御部１１１は、走査部であるモータ５０１等により両側照明ＣＩＳ６００がフォワード方向に走査していることを条件に光源６０１及び６０２のいずれか一方を点灯していずれか他方を消灯し又は光量を落として点灯する制御を行うようになっている。また、光源制御部１１１は、走査部であるモータ５０１等により両側照明ＣＩＳ６００がリターン方向に走査していることを条件に光源６０１及び６０２のいずれか一方を消灯し又は光量を落として点灯していずれか他方を点灯する制御を行うようになっている。
【００７４】
具体的には、例えば、光源制御部１１１は、両側照明ＣＩＳ６００がフォワード方向に走査している場合には、第２の光源６０２を点灯するとともに、第１の光源６０１を消灯し又は影が発生しない程度に光量を落として点灯する制御を行うようになっている。一方、光源制御部１１１は、両側照明ＣＩＳ６００がリターン方向に走査している場合には、第１の光源６０１を点灯するとともに、第２の光源６０２を消灯し又は影が発生しない程度に光量を落として点灯する制御を行うようになっている。
【００７５】
画像データ取得部１１２は、通常スキャンモードにおいて、イメージセンサ６０４が、第１の光源６０１及び第２の光源６０２の両方から照射された光の反射光を読み取って生成した画像データを取得するようになっている。この画像データ取得部１１２は、本実施形態における画像データ生成部を構成する。
【００７６】
また、画像データ取得部１１２は、影なしスキャンモードにおいて、イメージセンサ６０４が、第１の光源６０１又は第２の光源６０２のいずれか一方から照射された光の反射光を読み取ってそれぞれ生成した第１又は第２の画像データを、所定の条件に基づいて合成する画像データ合成部１１２ａを有する。この画像データ合成部１１２ａは、本実施形態における画像データ合成部を構成する。
【００７７】
具体的には、画像データ合成部１１２ａは、第１及び第２の画像データのフォワード方向に沿った各出力値を比較し、出力値が大きい方の画像データを採用して第１の画像データと第２の画像データとを合成するようになっている。その結果、画像データ合成部１１２ａは、例えば図１５に示したような、原稿影が発生していない画像データを得ることができる。
【００７８】
次に、本実施形態における画像形成装置１００の主要部のハードウェア構成の概要について、図２０に例示するハードウェア構成図を用いて説明する。
【００７９】
図２０に示すように、本実施形態における画像形成装置１００は、種々の処理を実行するＣＰＵ（Central Processing Unit）７０１と、ＣＰＵ７０１の処理に必要な各種プログラムやデータを記憶するＲＯＭ（Read Only Memory）７０２と、ＣＰＵ７０１での処理途中のデータや画像データ等が一時的に格納されるＲＡＭ（Random Access Memory）７０３と、各種駆動部やセンサ等が接続される入出力インタフェース（Ｉ／Ｆ）部７０４と、各構成要素間においてデータを転送するバス７０５と、を備えている。
【００８０】
例えば、ＲＯＭ７０２には、通常スキャンモード及び影なしスキャンモードでの各処理を制御する制御用プログラムなどが記憶され、記憶装置として機能するようになっている。ＣＰＵ７０１は、このＲＯＭ７０２に記憶された制御プログラムに基づいて演算処理を実行するようになっている。また、ＲＡＭ７０３は、ＣＰＵ７０１による演算結果や、操作パネル１０５から入力されたデータ等を一時的に記憶するようになっている。
【００８１】
ＣＰＵ７０１、ＲＯＭ７０２及びＲＡＭ７０３などは、バス７０５を介して互いに接続されるとともに、入出力インタフェース７０４と接続されている。
【００８２】
入出力Ｉ／Ｆ部７０４には、第１の光源６０１及び第２の光源６０２を駆動する光源駆動部７０６と、モータ５０１を駆動するモータ駆動部７０７と、イメージセンサ６０４を駆動するイメージセンサ駆動部７０８と、読取対象物の厚さを検知する対象物厚検知部１０４と、操作パネル１０５と、が接続されている。
【００８３】
制御装置７００は、入出力Ｉ／Ｆ部７０４を介して、第１の光源６０１及び第２の光源６０２の駆動処理、両側照明ＣＩＳ６００を移動させるモータ５０１の駆動処理、イメージセンサ６０４の駆動処理などを実行するようになっている。また、制御装置７００は、入出力Ｉ／Ｆ部７０４を介して、イメージセンサ６０４から画像データを取得し、対象物厚検知部１０４から対象物の厚さの検知情報を入力し、操作パネル１０５からユーザが入力した情報を取得するようになっている。
【００８４】
次に、本実施形態における画像形成装置１００の動作について図２１を用いて説明する。図２１は、本実施形態における画像形成装置１００において、制御装置７００が実行する画像取得処理を示すフローチャートであって、対象物厚検知部１０４を使用しない場合の動作を示すものである。なお、画像形成装置１００が対象物厚検知部１０４を備えていない場合でも以下の動作を実施することができる。
【００８５】
制御装置７００は、スキャンモード選択ボタンにより影なしスキャンモードが選択されたか否かを判断する（ステップＳ１０１）。
【００８６】
ステップＳ１０１において、制御装置７００は、影なしスキャンモードが選択されたと判断し、スキャン開始ボタンが押されたことを検知すると（ステップＳ１０２）、モータ５０１により両側照明ＣＩＳ６００をフォワード方向に走査し、第２の光源６０２を点灯するとともに、第１の光源６０１を消灯し又は光量を落として点灯する制御を行って読取対象物の画像を読み取り、第１の画像データを取得する（ステップＳ１０３）。
【００８７】
制御装置７００は、モータ５０１により両側照明ＣＩＳ６００をリターン方向に走査し、第１の光源６０１を点灯するとともに、第２の光源６０２を消灯し又は光量を落として点灯する制御を行って読取対象物の画像を読み取り、第２の画像データを取得する（ステップＳ１０４）。
【００８８】
制御装置７００は、原稿影消し処理を実施する（ステップＳ１０５）。具体的には、制御装置７００は、第１及び第２の画像データのフォワード方向に沿った各出力値を比較し、出力値が大きい方の画像データを採用して第１の画像データと第２の画像データとを合成し、例えば図１５に示したような、原稿影が発生していない画像データを生成する。制御装置７００は、影なしスキャンモードでの画像生成を完了する（ステップＳ１０６）。
【００８９】
次に、ステップＳ１０１において、制御装置７００は、影なしスキャンモードが選択されなかった、すなわち、通常スキャンモードが選択されたと判断し、スキャン開始ボタンが押されたことを検出すると（ステップＳ１０７）、モータ５０１により両側照明ＣＩＳ６００をフォワード方向に走査し、第１の光源６０１及び第２の光源６０２を点灯する制御を行って画像を読み取り（ステップＳ１０８）、通常スキャンモードでの画像生成を完了する（ステップＳ１０９）。
【００９０】
次に、本実施形態における画像形成装置１００の他の動作について図２２を用いて説明する。図２２は、本実施形態における画像形成装置１００において、制御装置７００が実行する画像取得処理を示すフローチャートであって、対象物厚検知部１０４を使用する場合の動作を示すものである。
【００９１】
制御装置７００は、コンタクトガラス２０３に原稿がセットされたことを検出し（ステップＳ１１１）、スキャン開始が押されたことを検出すると（ステップＳ１１２）、対象物厚検知部１０４が原稿の厚さとして０．３ｍｍ以上を検知したか否かを判断する（ステップＳ１１３）。なお、厚さ０．３ｍｍは、原稿の厚さを判定するための閾値の一例である。
【００９２】
ステップＳ１１３において、制御装置７００は、対象物厚検知部１０４が原稿の厚さとして０．３ｍｍ以上を検知した場合には、前述のステップＳ１０３〜Ｓ１０６の処理を行う。
【００９３】
一方、ステップＳ１１３において、制御装置７００は、対象物厚検知部１０４が原稿の厚さとして０．３ｍｍ以上を検知しなかった場合には、前述のステップＳ１０８〜Ｓ１０９の処理を行う。
【００９４】
本実施形態では、原稿影が目立ち始める０．３ｍｍの数値を、自動で原稿影なしモードに切り替えるための閾値として設定した。本実施形態における画像形成装置１００は、この閾値に基づき原稿影がない画像を容易に生成可能であるので、原稿影のない画像を生成するためにユーザが設定する設定時間を低減可能になる。
【００９５】
以上のように、本実施形態における画像形成装置１００は、走査部であるモータ５０１等が、フォワード方向に走査していることを条件に光源６０１及び６０２のいずれか一方を点灯していずれか他方を消灯し又は光量を落として点灯する制御を行う構成を有している。
【００９６】
また、本実施形態における画像形成装置１００は、走査部であるモータ５０１等が、リターン方向に走査していることを条件に光源６０１及び６０２のいずれか一方を消灯し又は光量を落として点灯していずれか他方を点灯する制御を行う構成を有している。
【００９７】
さらに、本実施形態における画像形成装置１００は、フォワード方向及びリターン方向において取得した画像データのうち、出力値が大きい方の画像データを採用して原稿影が発生していない画像データを得る構成を有している。
【００９８】
以上のような原稿影消し処理を実施する構成により、本実施形態における画像形成装置１００は、原稿影がない画像を容易に生成可能となるので、良好な読取画像を容易に得ることができる。
【００９９】
（第２実施形態）
図２３〜図２９は、本発明に係る画像形成装置の第２実施形態を示す図である。本実施形態では、ＡＤＦ１０３において原稿影消し処理を実施する内容について説明する。第１実施形態で説明したブックスキャンでの原稿影消し処理は、自動原稿送りの場合でも実施可能な制御であり、以下に説明する。なお、第１実施形態と同様の構成には同一の符号を付してその説明を省略する。
【０１００】
図２３に示すように、本実施形態におけるＡＤＦ１０３は、両側照明ＣＩＳ６００及び６１０、レジストセンサ８０１、原稿を送る読取位置口ローラ８０３、原稿抜けセンサ８０２、原稿を送る読取出口ローラ８０４を備えている。なお、レジストセンサ８０１及び原稿抜けセンサ８０２は、図２０に示した入出力Ｉ／Ｆ部７０４に接続されている。また、読取位置口ローラ８０３及び読取出口ローラ８０４は、図２０に示したモータ駆動部７０７によって駆動されるようになっている。また、読取位置口ローラ８０３及び読取出口ローラ８０４は、本実施形態における走査部を構成する。
【０１０１】
両側照明ＣＩＳ６１０は、両側照明ＣＩＳ６００（図４参照）と同様の構成を有するものであり、両側照明ＣＩＳ６００と同一の符号を付している。本実施形態では、両側照明ＣＩＳ６００は原稿の表面を読み取り、両側照明ＣＩＳ６１０は原稿の裏面を読み取るようになっている。
【０１０２】
レジストセンサ８０１及び読取位置口ローラ８０３は、両側照明ＣＩＳ６００及び６１０が位置する読取位置よりも原稿搬送方向の上流側に設けられている。また、原稿抜けセンサ８０２及び読取出口ローラ８０４は、両側照明ＣＩＳ６００及び６１０が位置する読取位置よりも原稿搬送方向の下流側に設けられている。
【０１０３】
以下、プラスチックカード４００を搬送した場合の搬送状態にて説明を行う。
【０１０４】
図２３に矢印で示すフォワード方向に、プラスチックカード４００が搬送されてレジストセンサ８０１の検知位置に到達するとレジストセンサ８０１はオンとなる。制御装置７００は、プラスチックカード４００が読取位置に到達し、原稿影消し処理の効果を有効に機能させるため、レジストセンサ８０１のオンをトリガとして、両側照明ＣＩＳ６００の第２の光源６０２及び両側照明ＣＩＳ６１０の第１の光源６０１を点灯し、両側照明ＣＩＳ６００の第１の光源６０１及び両側照明ＣＩＳ６１０の第２の光源６０２を消灯し又は光量を落として点灯する制御を行う。
【０１０５】
制御装置７００は、原稿が読取位置に到達してから、プラスチックカード４００の表面４０１及び裏面４０２の２つの画像読み取りを開始する（図２４（ａ）、図２４（ｂ））。この処理で得られた画像を第１スキャン画像と呼ぶ。
【０１０６】
次に、制御装置７００は、原稿抜けセンサ８０２のオンをトリガとして、原稿の移動を停止し（図２５）、その後、フォワード方向の逆のリターン方向に原稿の移動を開始する。
【０１０７】
図２６（ａ）及び（ｂ）に矢印で示すリターン方向において、制御装置７００は、両側照明ＣＩＳ６００の第１の光源６０１及び両側照明ＣＩＳ６１０の第２の光源６０２を点灯し、両側照明ＣＩＳ６００の第２の光源６０２及び両側照明ＣＩＳ６１０の第１の光源６０１を消灯し又は光量を落として点灯する制御を行う。
【０１０８】
制御装置７００は、原稿が読取位置に到達してからプラスチックカード４００の表面４０１及び裏面４０２の２つの画像読み取りを開始する。この処理で得られた画像を第２スキャン画像と呼ぶ。制御装置７００は、レジストセンサ８０１がオフになったら、読取位置口ローラ８０３の駆動を停止し、プラスチックカード４００を止める（図２７）。
【０１０９】
続いて、制御装置７００は、読取位置口ローラ８０３及び読取出口ローラ８０４を駆動し、図２８（ａ）及び（ｂ）に矢印で示すフォワード方向にプラスチックカード４００を移動し、図示しない排紙トレイにプラスチックカード４００を排出する。この際、原稿読み取りは既に終わっているため、両側照明ＣＩＳ６００及び両側照明ＣＩＳ６１０の全ての光源を消灯すれば省エネに寄与できて好ましい。
【０１１０】
制御装置７００は、プラスチックカード４００の表面４０１の画像については、第１スキャン画像及び第２スキャン画像の各表面の画像データに基づいて、図２１のステップＳ１０３〜Ｓ１０６に示した原稿影消し処理により、原稿影のない表面画像を生成できる。同様に、制御装置７００は、プラスチックカード４００の裏面４０２の画像についても、第１スキャン画像及び第２スキャン画像の各裏面の画像データに基づいた原稿影消し処理により、原稿影のない表面画像を生成できる。本実施形態における画像形成装置は、原稿影のない表面画像と裏面画像とを同時に生成することができる。
【０１１１】
（他の態様）
次に、本実施形態における画像形成装置の他の態様について図２９を用いて説明する。
【０１１２】
図２９に示すように、ＡＤＦ１０３は、読取位置口ローラ８０３に対向した位置に設けられた従動コロ８０３ａと、この従動コロ８０３ａの変位を検知することにより、読取対象物の厚さを検知する対象物厚検知部１０４と、を備えている。なお、図２９（ａ）は、紙の原稿４０５の厚さを検知している状態を示し、図２９（ｂ）は、プラスチックカード４００の厚さを検知している状態を示している。
【０１１３】
従動コロ８０３ａは、読取位置口ローラ８０３と原稿の厚さ方向に離間した位置に回転自在に設けられ、読取位置口ローラ８０３側にばね等で加圧されている。また、読取対象物の厚さに応じて読取位置口ローラ８０３に対する位置が変位するようになっている。対象物厚検知部１０４は、従動コロ８０３ａの変位量に基づいて読取対象物の厚さを検知するようになっている。
【０１１４】
本実施形態における画像形成装置は、通常の原稿と比較すると、プラスチックカード４００のような厚い原稿を通紙すると読取入口側の従動コロ８０３ａが下がるので、ある一定以上の厚みを検知したら、原稿影なしモードに自動で切り替える制御を有する。
【０１１５】
以上のように、本実施形態における画像形成装置は、第１実施形態で説明した原稿影消し処理をＡＤＦ１０３において実施する構成としたので、原稿影がない画像を容易に生成可能となるので、良好な読取画像を容易に得ることができる。
【０１１６】
（第３実施形態）
以下、本発明の第３実施形態について、図３０〜図３７を用いて説明する。
【０１１７】
図３０は、本発明に係る画像形成装置の第３実施形態を示す図である。図３１は、本発明に係る画像読取装置の第３実施形態を示す図である。本実施形態では、本発明に係る画像読取装置を画像形成装置としてのカラー複写機に適用した例を示している。なお、本発明に係る画像読取装置をイメージスキャナや自動原稿搬送装置に適用してもよい。また、本発明に係る画像形成装置をイメージスキャナや自動原稿搬送装置を有する複写機、ファクシミリ装置等、あるいは複写機能とファクシミリ機能等を備えた複合機等に適用することができる。
【０１１８】
図３０において、画像形成装置としてのカラー複写機１は、ＡＤＦ２と、給紙部３と、走査読取部４と、画像形成部５とを含んで構成されている。
【０１１９】
ＡＤＦ２は、第１の原稿トレイ１１と、この第１の原稿トレイ１１に載置された原稿束から原稿を１枚ずつ分離してＤＦコンタクトガラス１７に向かって搬送する各種ローラ等からなる給紙部１３とを備えている。なお、ＤＦコンタクトガラス１７は、本実施形態における第２の原稿載置部を構成する。
【０１２０】
また、ＡＤＦ２は、各種ローラ等からなる排紙部９を備えており、ＤＦコンタクトガラス１７上の原稿が走査読取部４の光学走査ユニット４０によって読み取られると、排紙部９によって排紙トレイ１２に排紙される。
【０１２１】
また、ＡＤＦ２は、第２の原稿トレイ１４に載置された原稿束から原稿を１枚ずつ分離して、ＤＦコンタクトガラス１７に向かって搬送する各種ローラ等からなる給紙部１５を備えている。搬送経路としては前述の第１の原稿トレイからの搬送経路に、分岐部１６を通って合流しており、搬送経路が排紙口まで斜めに一直線になるように構成されている。ＤＦコンタクトガラス１７は後述するフラットベッドコンタクトガラス７に対して、高さ方向で傾斜のある構成となっている。なお、フラットベッドコンタクトガラス７を単にコンタクトガラス７という。
【０１２２】
給紙部１５を構成する各種ローラ等は給紙部１３と一部兼用である。また、ＡＤＦ２は、走査読取部４に対して図示しないヒンジ等の開閉機構を介して開閉自在に取付けられている。
【０１２３】
給紙部３は、用紙サイズの異なる記録媒体としての記録紙を収納する給紙カセット２１、２２と、給紙カセット２１、２２に収納された記録紙を画像形成部５の画像形成位置まで搬送する各種ローラからなる給紙手段２３とを備えている。
【０１２４】
走査読取部４は、筐体４ａ内に一体型の光学走査ユニット４０を備えており、この光学走査ユニット４０は、後述するＬＥＤユニット４４から主走査方向（図３１の矢印Ａ方向）に光を照射するとともに、走査読取部４に備えられる図示しない駆動手段によって全照射領域Ｗ内において副走査方向（図３０、図３１の矢印Ｂ方向）に走査（移動）されることによって、原稿の２次元カラー画像を読み取るようになっている。走査読取部４の筐体４ａの上部にはコンタクトガラス７が設けられている。このコンタクトガラス７は筐体４ａの上面を構成している。なお、駆動手段は、光学走査ユニット４０に固定されたワイヤ、ワイヤに橋架される複数の従動プーリおよび駆動プーリと、駆動プーリを回転させるモータ等によって構成されるものであり、公知であるため、図示を省略する。また、コンタクトガラス７は、本実施形態における第１の原稿載置部を構成する。
【０１２５】
画像形成部５は、画像形成手段を構成するものであり、露光装置３１と、複数の感光体ドラム３２と、各感光体ドラム３２の周囲に設置された異なる色（シアン（Ｃ）、イエロー（Ｙ）、マゼンタ（Ｍ）、ブラック（Ｂｋ））のトナーを有する現像装置３３と、転写ベルト３４と、定着装置３５とを備えている。画像形成部５は、走査読取部４によって光学走査ユニット４０読み取られて色別分解された画情報に基づいて複数の感光体ドラム３２に色分けして画像を形成し、給紙部３から供給された記録紙に感光体ドラム３２上のトナーを重ね合わせて転写した後、定着装置３５により記録紙に転写されたトナー画像のトナーを溶融して、記録紙にカラー画像を定着するようになっている。また、カラー複写機１は、図示しない画像送受信装置によって読み取った画像を相手先の装置に送信する機能も備えている。
【０１２６】
次に、図３２に基づいて光学走査ユニット４０の構成を説明する。図３２は光学走査ユニット４０の断面である。また、図３２の中に、光学走査ユニット４０が備えている原稿照射装置４２の拡大図も示す。
【０１２７】
図３２に示すように、光学走査ユニット４０は、原稿Ｐの照射領域Ｗに光を照射するＬＥＤユニット４４と、ＬＥＤユニット４４からの光を導く導光部材５１と、原稿Ｐからの反射光の光軸５２を挟んでＬＥＤユニット４４の反対側に設けられた反射板５３と、を備えている。
【０１２８】
また、照射領域Ｗ内の照度分布は符号Ｈで示す分布になるように、ＬＥＤユニット４４の照度、導光部材５１、反射板５３の集光バランスが設定されている。
【０１２９】
ＬＥＤユニット４４は、図３３に示すように、ＬＥＤ基板４５上に発光素子である複数のＬＥＤ４６が主走査方向に略直線状に配置されたものから構成されている。本実施形態のＬＥＤ４６は、所謂、トップビュータイプと称されるものであり、出射面がＬＥＤ基板４５の実装面と直交する方向になっている。このトップビュータイプのＬＥＤ４６は、発光強度分布に指向性を有し、出射光の強度分布は、出射角に対して発光面の直交方向を基準とするランバートの余弦則に倣う強度分布（ランバート分布と呼ぶ）を有している。
【０１３０】
なお、図３２は、光学走査ユニット４０の断面図であり、１つのＬＥＤ４６が示されている。反射部材６０ａ〜６０ｃは、例えばミラーで構成され、ＬＥＤユニット４４から原稿Ｐの照射領域Ｗが照射されたときに、照射領域Ｗにおける原稿Ｐのライン上（主走査方向）の反射光の光軸５２、すなわち、読取光軸を結像レンズ６１に導くように筐体４１の所定個所に取付けられている。この結像レンズ６１は、筐体４１の底部に取付けられており、反射部材６０ｃによって反射された光を結像させるようになっている。
【０１３１】
ＣＣＤ６３は、結像レンズ６１の結像位置に配置されるように筐体４１の副走査方向一側面に取付けられており、原稿Ｐの画像を読み取るようになっている。本実施形態のＣＣＤ６３は、Ｒ（赤）、Ｇ（緑）、Ｂ（青）の色毎に設けられており、カラー画像の読み取りを行うことができる。このＣＣＤ６３は、ＳＢＵ（スキャナボードユニット）６４上に配置されており、このＳＢＵ６４は、筐体４１の副走査方向一側面に取付けられている。このＳＢＵ６４にはＣＣＤ６３の他にＩＣチップやチップコンデンサ等の電子部品が実装されており、ＣＣＤ６３によって読み取られた原稿Ｐの画像を処理し、露光装置３１に出力するようになっている。
【０１３２】
ここで図３４〜図３７を用いて、本発明に関わる部分について説明する。本実施形態では、図３４、図３５に示すように、光学走査ユニット４０の筐体４１に、反射部材６０ａを保持する金属性の回転部材５５を有する。回転部材５５は、ＬＥＤユニット４４を取り付ける支持部材５４及び反射板５３も保持する。反射部材６０ａは、回転部材５５に設けられた穴５９と勘合する図示せぬ板ばねにより回転部材５５に保持され、反射板５３及び支持部材５４は図示せぬネジ留め、又は、溶接等により保持される。
【０１３３】
また、回転部材５５は、回転部材５５に設けられた穴５５ａと、それに勘合する光学走査ユニット４０の筐体４１に設けられたボス５７により、ボス５７を中心に回転する構成になっており、筐体４１と回転部材５５を繋ぐように設けられたバネ５６により、筐体４１に設けられたボス５８に突き当てることで姿勢を保持する構成になっている。図示せぬ装置背面側の構成も、図３４、図３５と対称で同じ構成となっている。走査読取部４の上部のコンタクトガラス７に戴置された原稿Ｐを読み取る場合、以上の姿勢を保持した状態であり、照射領域Ｗ内の照度分布は符号Ｈに示す分布になるように、ＬＥＤ４６の照度、導光部材５１、反射板５３の集光バランスが設定されている。
【０１３４】
また、光学走査ユニット４０は、ＡＤＦ２に搬送されたＤＦコンタクトガラス１７上の原稿Ｐを読み取る場合、図３０に示すＤＦコンタクトガラス１７の下まで移動する。その際、図３６に示すように、光学走査ユニット４０は、矢印Ｃ方向に移動し、読み取り位置まで達すると、走査読取部４の筐体４ａに設けられたボス４３が回転部材５５に設けられた突起５５ｂに突き当たり、回転部材５５の上面がＤＦコンタクトガラス１７と平行に（同じ角度に）なるよう矢印Ｄ方向に原稿照射装置４２が回転して保持される。すなわち、反射光の光軸５２がＤＦコンタクトガラス１７の面に直交した状態になる。この状態では、反射部材６０ａが所定角度だけ回転して、反射部材６０ａの反射光が反射部材６０ｂに入射される。
【０１３５】
その結果、図３７に示すように、傾斜しているＤＦコンタクトガラス１７に対しても、走査読取部４の上部のコンタクトガラス７に戴置された原稿Ｐを読み取る場合と同様のＬＥＤ４６の照度、導光部材５１、反射板５３の集光バランスが設定される。
【０１３６】
なお、本実施形態では、反射部材６０ａが回転する構成となっているが、他の反射部材６０ｂ、６０ｃも回転する構成でも構わない。但し、原稿Ｐから反射光が撮像素子（ＣＣＤ６３）から外れないことを加味すると、他の反射部材の角度誤差の影響を受けない、原稿照射装置４２に最も近い反射部材６０ａが回転する構成が望ましい。
【０１３７】
以上のように、本実施形態におけるカラー複写機１は、コンタクトガラス７に載置された原稿の画像を走査して読み取る読取時と、ＤＦコンタクトガラス１７に搬送された原稿の画像を読み取る読取時とで、少なくとも１つの反射部材６０ａ〜６０ｃ及び光学走査ユニット４０の筐体４１に対する角度を変更する構成とした。
【０１３８】
その結果、本実施形態におけるカラー複写機１は、反射光の光軸５２がＤＦコンタクトガラス１７の面に直交した状態となり、簡易な構成で照射領域及び照度分布が正確に設定できる。したがって、本実施形態におけるカラー複写機１は、良好な読取画像を得ることができる。
【符号の説明】
【０１３９】
１  カラー複写機（画像形成装置）
２  ＡＤＦ（自動原稿搬送装置）
７  コンタクトガラス（第１の原稿載置部）
１７  ＤＦコンタクトガラス（第２の原稿載置部）
４０  光学走査ユニット
４１  筐体
６０ａ〜６０ｃ  反射部材
１００  画像形成装置
１０２  画像読取装置
１０３  ＡＤＦ（自動原稿搬送装置）
１０４  対象物厚検知部（読取対象物厚検知部）
１０５  操作パネル
１１０  制御装置
１１１  光源制御部（光照射動作制御部）
１１２  画像データ取得部（画像データ生成部）
１１２ａ  画像データ合成部（画像データ合成部）
２０３  コンタクトガラス
２０４  ＡＤＦコンタクトガラス
３０１  読取ユニット
４００  プラスチックカード
４０１  プラスチックカードの表面
４０２  プラスチックカードの裏面
４０３  端部（第１の走査方向の下流側の端部）
４０４  端部（第２の走査方向の下流側の端部）
５０１  モータ（走査部）
６００  両側照明ＣＩＳ
６０１  第１の光源（第１の光照射部）
６０２  第２の光源（第２の光照射部）
６０４  イメージセンサ
６１０  両側照明ＣＩＳ
８０３  読取位置口ローラ（走査部）
８０４  読取出口ローラ（走査部）
【先行技術文献】
【特許文献】
【０１４０】
【特許文献１】特許第４９８８６７９号公報
【特許文献２】特開２０１４−０２４６１２号公報
【特許文献３】特許第２８９９２３２号公報
【特許文献４】特許第４１７０８１８号公報
【特許文献５】特許第５００８８９８号公報
【図１】
0006488676.tif 000002
【図２】
0006488676.tif 000003
【図３】
0006488676.tif 000004
【図４】
0006488676.tif 000005
【図５】
0006488676.tif 000006
【図６】
0006488676.tif 000007
【図７】
0006488676.tif 000008
【図８】
0006488676.tif 000009
【図９】
0006488676.tif 000010
【図１０】
0006488676.tif 000011
【図１１】
0006488676.tif 000012
【図１２】
0006488676.tif 000013
【図１３】
0006488676.tif 000014
【図１４】
0006488676.tif 000015
【図１５】
0006488676.tif 000016
【図１６】
0006488676.tif 000017
【図１７】
0006488676.tif 000018
【図１８】
0006488676.tif 000019
【図１９】
0006488676.tif 000020
【図２０】
0006488676.tif 000021
【図２１】
0006488676.tif 000022
【図２２】
0006488676.tif 000023
【図２３】
0006488676.tif 000024
【図２４】
0006488676.tif 000025
【図２５】
0006488676.tif 000026
【図２６】
0006488676.tif 000027
【図２７】
0006488676.tif 000028
【図２８】
0006488676.tif 000029
【図２９】
0006488676.tif 000030
【図３０】
0006488676.tif 000031
【図３１】
0006488676.tif 000032
【図３２】
0006488676.tif 000033
【図３３】
0006488676.tif 000034
【図３４】
0006488676.tif 000035
【図３５】
0006488676.tif 000036
【図３６】
0006488676.tif 000037
【図３７】
0006488676.tif 000038